(57)【要約】      （修正有）【課題】取付部における摩擦により消しゴムが削れるといった事態を防止でき、耐久性に優れた消しゴムの装飾体を提供する。【解決手段】消しゴムにより構成される装飾部本体１１と、装飾部本体を他の部材に取り付けうる取付部１２と、装飾部本体及び取付部を連結する連結部１３とを有する装飾体１０であって、連結部１３は弾性を有する合成樹脂により形成され、装飾部本体に設けられた孔部１４に挿通固定されている。【選択図】図１
0003208663.tif 000002
【実用新案登録請求の範囲】
【請求項１】
消しゴムにより構成される装飾部本体と、前記装飾部本体を他の部材に取り付けうる取付部と、前記装飾部本体及び前記取付部を連結する連結部とを有する装飾体であって、前記連結部は弾性を有する合成樹脂により形成され、前記装飾部本体に設けられた孔部に挿通固定されていることを特徴とする装飾体。
【請求項２】
消しゴムにより構成される装飾部本体と、前記装飾部本体を他の部材に取り付けうる取付部と、前記装飾部本体及び前記取付部を連結する連結部とを有する装飾体であって、前記連結部は弾性を有する合成樹脂により形成され、前記装飾部本体に巻装固定されていることを特徴とする装飾体。
【請求項３】
消しゴムにより構成される装飾部本体と、前記装飾部本体を他の部材に取り付けうる取付部と、前記装飾部本体及び前記取付部を連結する連結部とを有する装飾体であって、
前記装飾部本体は互いに係合しうる複数のパーツにより構成されると共に、前記連結部は弾性を有する合成樹脂により形成され、前記装飾部本体を構成する一のパーツと他のパーツとの間に挟持固定されていることを特徴とする装飾体。
【請求項４】
前記装飾部本体は、動物、食べ物、乗り物、又は、学習道具を模した消しゴムにより構成されていることを特徴とする請求項１から３のいずれか１項に記載の装飾体。
【考案の詳細な説明】
【技術分野】
【０００１】
本考案は、消しゴムを使用した装飾体に関するものである。
【背景技術】
【０００２】
従来より、動物や漫画の主人公等のキャラクターの形状に模した消しゴムは公知である（例えば、特許文献１）。このような装飾性に優れた消しゴムは、消しゴムとしての実用性と、装飾品としての意匠性とにより、需要者への訴求効果のある文房具として、年齢を問わず広く親しまれている。
【０００３】
また、前記消しゴムを応用し、キーホルダーやストラップに装飾体として取り付けて使用することも行われている。例えば、消しゴムに穴を開け、その穴に金属製のリング部材を挿通させることで取り付けていた。
しかし、金属製のリング部材と消しゴムとの間に生じる摩擦により、消しゴムが削れて穴が広がってしまい、最終的には穴が外までつながることで消しゴムが金属製のリング部材から外れてしまうという不具合が生じていた。
本件実用新案登録出願人はこのような観点から先行技術調査を行ったが、前記不具合を解消するような技術は発見できなかった。
【先行技術文献】
【特許文献】
【０００４】
【特許文献１】特開２０１０−１３１８１９号公報
【考案の概要】
【考案が解決しようとする課題】
【０００５】
本考案は、以上のような従来からの不具合を解消するためのものであって、その課題は、消しゴムが削れるといった事態を防止でき、耐久性に優れた消しゴムの装飾体を提供することにある。
【課題を解決するための手段】
【０００６】
前記課題を解決するために、請求項１に記載の考案にあっては、消しゴムにより構成される装飾部本体と、前記装飾部本体を他の部材に取り付けうる取付部と、前記装飾部本体及び前記取付部を連結する連結部とを有する装飾体であって、前記連結部は弾性を有する合成樹脂により形成され、前記装飾部本体に設けられた孔部に挿通固定されていることを特徴とする。
【０００７】
従って、消しゴムにより構成される前記装飾部本体の孔部に、弾性を有する合成樹脂により形成された前記連結部が挿通固定され、前記装飾部本体と前記取付部とが連結される。
【０００８】
請求項２に記載の考案にあっては、消しゴムにより構成される装飾部本体と、前記装飾部本体を他の部材に取り付けうる取付部と、前記装飾部本体及び前記取付部を連結する連結部とを有する装飾体であって、前記連結部は弾性を有する合成樹脂により形成され、前記装飾部本体に巻装固定されていることを特徴とする。
【０００９】
従って、消しゴムにより構成される前記装飾部本体に、弾性を有する合成樹脂により形成された前記連結部が巻装固定され、前記装飾部本体と前記取付部とが連結される。
【００１０】
請求項３に記載の考案にあっては、消しゴムにより構成される装飾部本体と、前記装飾部本体を他の部材に取り付けうる取付部と、前記装飾部本体及び前記取付部を連結する連結部とを有する装飾体であって、前記装飾部本体は互いに係合しうる複数のパーツにより構成されると共に、前記連結部は弾性を有する合成樹脂により形成され、前記装飾部本体を構成する一のパーツと他のパーツとの間に挟持固定されていることを特徴とする。
【００１１】
従って、消しゴムにより構成される前記装飾部本体の前記一のパーツと前記他のパーツとの間に、弾性を有する合成樹脂により形成された前記連結部が挟持固定され、前記装飾部本体と前記取付部とが連結される。
【００１２】
請求項４に記載の考案にあっては、前記装飾部本体は、動物、食べ物、乗り物、又は、学習道具を模した消しゴムにより構成されていることを特徴とする。
【００１３】
従って、前記装飾部本体は、動物、食べ物、乗り物、又は、学習道具を模した消しゴムにより構成される。
【考案の効果】
【００１４】
請求項１に記載の装飾体にあっては、前記装飾部本体の孔部に、前記連結部が挿通固定され、前記装飾部本体と前記取付部とが連結されるので、前記合成樹脂が弾性を有することから、従来のように消しゴムにより構成される前記装飾部本体に直接取付部材を連結した場合に前記装飾部本体が削れてしまうという事態を防止することができる。その結果、耐久性に優れた消しゴムの装飾体を提供することができる。
【００１５】
請求項２に記載の装飾体にあっては、前記装飾部本体に、前記連結部が巻装固定され、前記装飾部本体と前記取付部とが連結されるので、前記合成樹脂が弾性を有することから、従来のように消しゴムにより構成される前記装飾部本体に直接取付部材を連結した場合に前記装飾部本体が削れてしまうという事態を防止することができる。その結果、耐久性に優れた消しゴムの装飾体を提供することができる。
【００１６】
請求項３に記載の装飾体にあっては、前記装飾部本体の前記一のパーツと前記他のパーツとの間に、前記連結部が挟持固定され、前記装飾部本体と前記取付部とが連結されるので、前記合成樹脂が弾性を有することから、従来のように消しゴムにより構成される前記装飾部本体に直接取付部材を連結した場合に前記装飾部本体が削れてしまうという事態を防止することができる。その結果、耐久性に優れた消しゴムの装飾体を提供することができる。
【００１７】
請求項４に記載の装飾体にあっては、前記装飾部本体は、動物、食べ物、乗り物、又は、学習道具を模した消しゴムにより構成されるので、耐久性に優れると共に、需要者への訴求効果のある消しゴムの装飾体を提供することができる。
またさらに、請求項４に記載の装飾体にあっては、前記取付部をキーホルダーやストラップに取り付けることによって、耐久性に優れると共に、需要者への訴求効果のある消しゴム製の装飾体を有するキーホルダーやストラップを提供することができる。
【図面の簡単な説明】
【００１８】
【図１】図１は、本考案に係る装飾体の第一の実施の形態を示す斜視図である。
【図２】図２は、本考案に係る装飾体の第二の実施の形態を示す斜視図である。
【図３】図３は、本考案に係る装飾体の第三の実施の形態を示す斜視図である。
【考案を実施するための形態】
【００１９】
以下、添付図面に示す実施の形態に基づき、本考案を詳細に説明する。
図１に示すように、本考案の第一の実施の形態に係る装飾体１０は、寿司を模した消しゴムにより構成される装飾部本体１１と、装飾部本体１１を他の部材に取り付けうる取付部１２と、装飾部本体１１及び取付部１２を連結する連結部１３とを有している。
また、図１に示すように、第一の実施の形態に係る連結部１３はポリウレタンエラストマー製のリング部材として形成され、装飾部本体１１に設けられた孔部１４に挿通固定されている。
また、図１に示すように、第一の実施の形態に係る取付部１２はアルミ製のリング部材として形成され、ステンレス製の基材１６を介して、布材で被覆されたポリウレタンエラストマー製のリング部材により構成されたストラップ部１５に接続されている。
【００２０】
以上の構成を有する第一の実施の形態に対して、図２に示す第二の実施の形態に係る装飾体２０は、装飾部本体２１が小鳥を模した消しゴムにより構成され、連結部１３が装飾部本体２１に巻装固定されている点が、第一の実施の形態に係る装飾体１０との相違点である。
【００２１】
また、図３に示すように、第三の実施の形態に係る装飾体３０にあっては、装飾部本体３１がケーキを模した消しゴムにより構成されると共に、装飾部本体３１が互いに係合しうる３個のパーツ３２、３３、３４により構成され、連結部１３が装飾部本体３１を構成する一のパーツ３２と他のパーツ３３との間に挟持固定されている点が、第一及び第二の形態に係る装飾体１０、２０との相違点である。
特に、第三の実施の形態に係る他のパーツ３３にあっては、連結部１３を挿通させうる溝部３５が形成されている。
【００２２】
以下、第一の実施の形態に係る装飾体１０の作用について、添付図面を用いて説明する。
図１に示すように、本実施の形態に係る装飾体１０は、ステンレス製のリング部材１６をバッグ等に取り付けることによって、キーホルダーやストラップとして使用することができる。
この際、図１に示すように、消しゴムにより構成される装飾部本体１１の孔部１４に、ポリウレタンエラストマー製のリング部材により構成される連結部１３が挿通固定され、装飾部本体１１と取付部１２とが連結されている。
従って、ポリウレタンエラストマーが弾性、柔軟性、耐摩耗性を有することから、従来のように消しゴムにより構成される装飾部本体１１に直接アルミ製リング部材により構成される取付部１２を連結した場合に装飾部本体１１が削れてしまうという事態を防止することができる。
【００２３】
また、本実施の形態に係る装飾体１０にあっては、装飾部本体１１は、寿司を模した消しゴムにより構成されるので、需要者への訴求効果のある消しゴムの装飾体を提供することができる。
またさらに、本実施の形態に係る装飾体１０にあっては、キーホルダーやストラップとして使用することができるので、耐久性に優れると共に、需要者への訴求効果のある消しゴム製の装飾体を有するキーホルダーやストラップを提供することができる。
【００２４】
また、図２に示すように、第二の実施の形態に係る装飾体２０にあっては、装飾部本体２１に、連結部１３が巻装固定され、装飾部本体２１と取付部１２とが連結されている。
従って、第一の実施の形態に係る装飾体１０と同様に、装飾部本体２１が削れてしまうという事態を防止することができる。
また、本実施の形態に係る装飾体２０にあっては、装飾部本体２１は、小鳥を模した消しゴムにより構成されるので、需要者への訴求効果のある消しゴムの装飾体を提供することができる。
【００２５】
また、図３に示すように、第三の実施の形態に係る装飾体３０にあっては、装飾部本体３１の一のパーツ３２と他のパーツ３３との間に、連結部１３が挟持固定され、装飾部本体３１と取付部１２とが連結されている。
従って、第一及び第二の実施の形態に係る装飾体１０、２０と同様に、装飾部本体３１が削れてしまうという事態を防止することができる。
特に、第三の実施の形態に係る他のパーツ３３にあっては、連結部１３を挿通させうる溝部３５が形成されているので、連結部１３を溝部に挿通させた状態で確実に挟持固定することができる。
また、本実施の形態に係る装飾体３０にあっては、装飾部本体３１は、ケーキを模した消しゴムにより構成されるので、需要者への訴求効果のある消しゴムの装飾体を提供することができる。
【００２６】
本実施の形態に係る装飾部本体１１、２１、３１は、夫々、寿司、小鳥、ケーキを模した消しゴムにより構成されている場合を例に説明したが、前記構成に限定されず、動物、食べ物、乗り物、又は、学習道具の他、様々な物品を模した消しゴムにより構成することができる。
【産業上の利用可能性】
【００２７】
本考案は、装飾体に広く適用可能であり、産業上利用可能性を有している。
【符号の説明】
【００２８】
１０：装飾体
１１、２１、３１：装飾部本体
１２：取付部材
１３：連結部
１４：孔部
１５：ストラップ部
１６：基材
２０：装飾体
３０：装飾体
３２、３３：パーツ
３５：溝部
【図１】
0003208663.tif 000003
【図２】
0003208663.tif 000004
【図３】
0003208663.tif 000005